(57)【要約】【目的】横揺れに対しても防振（防震）性を発揮することができ、しかも低コスト化が可能な配管吊下支持具を提供する。【構成】一本の帯状バンド体を環状に彎曲することによって配管類を抱持するバンド抱持部が形成され、  該帯状バンド体の開放両端部に、タンバックルの如き吊下接続部材に接続することによって吊りボルト等から吊下可能となるバンド端部が形成された構成の配管吊下支持具において、  前記バンド抱持部の最下部の帯状バンド体の一部を、配管軸方向に直交する左右に切り起こすことによって左右方向外側に各々延伸する切起し係止部を形成し、  天井スラブ等の取付面に一端が固定されて吊下げられる１本又は２本の吊りボルトの如き吊下支持杆の他端を係合可能な透孔が、前記切起し係止部の各々に形成された構成である。【選択図】        図１
2017015155.tif 000002
【特許請求の範囲】
【請求項１】
一本の帯状バンド体を環状に彎曲することによって配管類を抱持するバンド抱持部が形成され、
該帯状バンド体の開放両端部に、タンバックルの如き吊下接続部材に接続することによって吊りボルト等から吊下可能となるバンド端部が形成された構成の配管吊下支持具において、
前記バンド抱持部の最下部の帯状バンド体の一部を、配管軸方向に直交する左右に切り起こすことによって左右方向外側に各々延伸する切起し係止部を形成し、
天井スラブ等の取付面に一端が固定されて吊下げられる１本又は２本の吊りボルトの如き吊下支持杆の他端を係合可能な透孔が、前記切起し係止部の各々に形成された構成であること、
を特徴とする配管吊下支持具。
【請求項２】
最下部の略中央線の位置部分から左方向と右方向に切り分けて各々を外側方向に向かって切り起こすことにより、左右方向外側の各々に延伸する切起し係止部を形成する構成であることを特徴とする請求項１に記載の配管吊下支持具。
【請求項３】
帯状バンドの環状方向と平行に且つ並列する２本の切起し部を設け、この２本の内の一方の切起し部を左方向外側に向かって切起し、他方の切起し部を右方向外側に向かって切起すことにより、左右方向外側の各々に延伸する切起し係止部を形成する構成であることを特徴とする請求項１に記載の配管吊下支持具。
【請求項４】
前記切起し係止部の各々の基端部近傍の上方部分を該基端部側に切起し、この切り起こした部分を前記切起し係止部の少なくとも一部に重合させて重合切起し係止部を形成する構成であることを特徴とする請求項１〜３のいずれかに記載の配管吊下支持具。
【請求項５】
前記切起し係止部と前記重合切起し係止部との重合部分をスポット溶接の如き接合手段を用いて接合した構成であることを特徴とする請求項４に記載の配管吊下支持具。
【請求項６】
前記取付面に一端が固定された吊りボルトにタンバックルを介して前記バンド端部をボルト・ナット固定し、
前記取付面に一端が固定され、吊下げられる１本又は２本の吊りボルトの如き吊下支持杆の他端を、前記切起し係止部の透孔にナットの如き係合手段を用いて係合することにより、
前記吊りボルトと１本又は２本の吊下支持杆による２点又は３点吊下支持する構成であることを特徴とする請求項１〜５のいずれかに記載の配管吊下支持具。
【発明の詳細な説明】
【技術分野】
【０００１】
本発明は配管吊下支持具に関し、詳しくは天井スラブ等の取付面に、水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【０００３】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００４】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００５】
以上のことから、現場での部品管理や装着時の手間等が増すことなく、コストアップを抑制することができる配管吊下支持具の要請があることが判った。
【０００６】
更に本発明者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００７】
本発明者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００８】
そこで本発明者は、配管を抱持するバンド抱持部の一部を切り起して切起し係止部を形成し、この切起し係止部に、取付面から吊下げられた１本又は２本の吊下げ支持杆を係合可能とすることにより、２点又は３点吊下げ支持可能な配管吊下支持具を先に提案した（特許文献４〜６参照）。
【先行技術文献】
【特許文献】
【０００９】
【特許文献１】特開２００４−１５０４５２号
【特許文献２】実用新案登録第２５２４３４０号
【特許文献３】登録実用新案第３１４８３６１号
【特許文献４】登録実用新案第３１５３１８５号
【特許文献５】登録実用新案第３１５３５４５号
【特許文献６】登録実用新案第３１５３５４６号
【発明の概要】
【発明が解決しようとする課題】
【００１０】
本発明者はかかる技術について更に研究を進めたところ、より簡易な構成の配管支持具に適用してコストダウンを図るべき余地があることを見出した。
【００１１】
そこで本発明の課題は、横揺れに対しても防振（防震）性を発揮することができ、しかも低コスト化が可能な配管吊下支持具を提供することにある。
【課題を解決するための手段】
【００１２】
上記課題を解決する本発明は下記構成を有する。
【００１３】
１．一本の帯状バンド体を環状に彎曲することによって配管類を抱持するバンド抱持部が形成され、
該帯状バンド体の開放両端部に、タンバックルの如き吊下接続部材に接続することによって吊りボルト等から吊下可能となるバンド端部が形成された構成の配管吊下支持具において、
前記バンド抱持部の最下部の帯状バンド体の一部を、配管軸方向に直交する左右に切り起こすことによって左右方向外側に各々延伸する切起し係止部を形成し、
天井スラブ等の取付面に一端が固定されて吊下げられる１本又は２本の吊りボルトの如き吊下支持杆の他端を係合可能な透孔が、前記切起し係止部の各々に形成された構成であること、
を特徴とする配管吊下支持具。
【００１４】
２．最下部の略中央線の位置部分から左方向と右方向に切り分けて各々を外側方向に向かって切り起こすことにより、左右方向外側の各々に延伸する切起し係止部を形成する構成であることを特徴とする上記１に記載の配管吊下支持具。
【００１５】
３．帯状バンドの環状方向と平行に且つ並列する２本の切起し部を設け、この２本の内の一方の切起し部を左方向外側に向かって切起し、他方の切起し部を右方向外側に向かって切起すことにより、左右方向外側の各々に延伸する切起し係止部を形成する構成であることを特徴とする上記１に記載の配管吊下支持具。
【００１６】
４．前記切起し係止部の各々の基端部近傍の上方部分を該基端部側に切起し、この切り起こした部分を前記切起し係止部の少なくとも一部に重合させて重合切起し係止部を形成する構成であることを特徴とする上記１〜３のいずれかに記載の配管吊下支持具。
【００１７】
５．前記切起し係止部と前記重合切起し係止部との重合部分をスポット溶接の如き接合手段を用いて接合した構成であることを特徴とする上記４に記載の配管吊下支持具。
【００１８】
６．前記取付面に一端が固定された吊りボルトにタンバックルを介して前記バンド端部をボルト・ナット固定し、
前記取付面に一端が固定され、吊下げられる１本又は２本の吊りボルトの如き吊下支持杆の他端を、前記切起し係止部の透孔にナットの如き係合手段を用いて係合することにより、
前記吊りボルトと１本又は２本の吊下支持杆による２点又は３点吊下支持する構成であることを特徴とする上記１〜３のいずれかに記載の配管吊下支持具。
【発明の効果】
【００１９】
請求項１又は６に示す発明によれば、横揺れに対しても防振（防震）性を発揮することができ、しかも低コスト化が可能な配管吊下支持具を提供することができる。
【００２０】
特に、一本の帯状バンド体から成るバンド抱持部を有するいわゆる提灯式の配管支持バンドと呼ばれる配管吊下支持具に適用する構成によって、配管吊下支持具の単価を下げることができる。しかも、２点支持又は３点支持のための吊下支持杆を接続する切起し係止部が、バンド抱持部の一部を切り起こすだけで加工可能であるため、別部材を付加することもないため重量が増加することなく２点指示又は３点支持が可能となる。更に、切り取り加工等によって廃棄が必要となる部材も生じることもなく、低コスト化が可能なだけでなく、環境適正にも優れている。
尚、提灯式の配管支持バンドは、軽量配管である合成樹脂管の抱持支持に適しており、一本の帯状バンド体で形成された極めて簡易な構成を有するので低廉である。従って、本発明の構成を適用することにより、横揺れに対しても防振（防震）性を発揮することができる配管吊下支持具を低コストで提供することが可能となる。
【００２１】
請求項２に示す発明によれば、左右の切起し係止部の各々を幅広く形成することも可能である。
【００２２】
請求項３に示す発明によれば、左右の切起し係止部の各々の切起し長さを長くすることも可能である。
【００２３】
請求項４に示す発明によれば、切起し係止部が重合切起し部の重合によって補強されるので、別部材を付加することなく重量の増加を招くことなく、切起し係止部の強度を高くすることができる。
【００２４】
請求項５に示す発明によれば、重合切起し部の重合による補強がより増強されるので該切起し係止部の強度をより高くすることができる。
【図面の簡単な説明】
【００２５】
【図１】本発明に係る配管吊下支持具の第１実施例を示す６面図（正面図、平面図、底面図、左側面図、右側面図、Ａ−Ａ断面図）
【図２】図１に示す配管吊下支持具の使用例の一例を示す概略正面図
【図３】本発明に係る配管吊下支持具の第２実施例を示す７面図（正面図、平面図、底面図、左側面図、右側面図、Ｂ−Ｂ断面図、Ｃ−Ｃ断面図）
【図４】図３に示す配管吊下支持具の使用例の一例を示す概略正面図
【図５】本発明に係る配管吊下支持具の第３実施例を示す６面図（正面図、平面図、底面図、左側面図、右側面図、Ａ−Ａ断面図）
【図６】本発明に係る配管吊下支持具の第４実施例を示す６面図（正面図、平面図、底面図、左側面図、右側面図、Ａ−Ａ断面図）
【発明を実施するための形態】
【００２６】
次に、添付の図面に従って本発明について詳細に説明する。
【００２７】
本発明に係る配管吊下支持具（以下、単に支持具と言うこともある。）１は、図１に示すような具体的構成を有し、使用に際しては図２に示すように配管Ｐを抱持した状態で天井スラブ等の取付面２に固定された吊りボルト３及び吊下支持杆４による防振状態で２点又は３点（図２は３点）吊下支持する際に用いるものである。
【００２８】
支持具１の具体的構成としては、図１に示すように、支持具１の本体が一本の帯状バンド体を環状に彎曲することによって配管類を抱持するバンド抱持部１１が形成され、
該帯状バンド体の開放両端部に、タンバックルの如き吊下接続部材３１に接続することによって吊りボルト３から吊下可能となるバンド端部１３が形成された構成の提灯式の配管支持バンドから成ることを基本構成とする。即ち、バンド抱持部１１の最下部１２に組式又は蝶番式の接続部の無い構成の配管支持バンドから成る。
【００２９】
そして、上記基本構成を有する構成において、
前記バンド抱持部１１の最下部１２の帯状バンド体の一部を、配管軸方向に直交する左右に切り起こすことによって左右方向外側に各々延伸する切起し係止部１４Ａ・１４Ｂを形成し、
天井スラブ等の取付面２に一端が固定されて吊下げられる１本又は２本（図２に示す実施例では２本）の吊りボルトの如き吊下支持杆４の他端を係合可能な透孔１５が、前記切起し係止部１４Ａ・１４Ｂの各々に形成された構成となっている。
【００３０】
尚、図１に示す符号１１Ｃは、重合切起し係止部１４Ａ・１４Ｂが切り起こされることで連続する一つの孔部となったバンド抱持部１１の被切起し孔部である。
【００３１】
上記の切起し係止部１４Ａ・１４Ｂの切起し形成について更に詳説すると、図１及び図２に示す本第１実施例では、バンド抱持部１１の最下部１２の略中央線の位置部分から左方向と右方向に切り分けて各々を外側方向に向かって切り起こすことにより、左右方向外側の各々に延伸するように該切起し係止部１４Ａ・１４Ｂが形成される構成になっている。かかる構成によれば、左右の切起し係止部１４Ａ・１４Ｂの各々を幅広く形成することも可能である。
【００３２】
また、切起し係止部１４Ａ・１４Ｂの各々の切起し方向は、前記したように配管軸方向に直交する左右方向外側であるが、取付面２からの吊下支持杆４（図２参照）の斜め吊下角度に応じて斜め下方に向かって延伸する構成とし、この斜め下方の角度については前記吊下支持杆４の斜め吊下角度に応じて適宜設定されることが好ましい。具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、切起し係止部１４Ａ・１４Ｂの角度も概ね４５度であることがとりわけ好ましい。
【００３３】
更に、切起し係止部１４Ａ・１４Ｂの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００３４】
上記構成を有する本発明の配管吊下支持具１の第１実施例の使用に際しては、図２に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００３５】
次に、図３及び図４に示す切起し係止部１４Ａ・１４Ｂの第２実施例について説明する。
【００３６】
図３及び図４に示す切起し係止部１４Ａ・１４Ｂの第２実施例では、バンド抱持部１１の最下部１２に、帯状バンドの環状方向と平行に且つ並列する２本の切起し部を設け、この２本の内の一方の切起し部を左方向外側に向かって切起して切起し係止部１４Ａを形成し、他方の切起し部を右方向外側に向かって切起すことにより切起し係止部１４Ｂを形成する構成である。かかる構成によれば、左右の切起し係止部１４Ａ・１４Ｂの各々の切起し長さを長くすることも可能である。
【００３７】
尚、図３に示す符号１１Ａ・１１Ｂは、重合切起し係止部１４Ａ・１４Ｂがの各々が切り起こされることで孔部となったバンド抱持部１１の被切起し孔部である。
【００３８】
上記構成を有する本発明の配管吊下支持具１の第２実施例の使用に際しては、図４に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００３９】
以上、本発明に係る配管吊下支持具の第１実施例及び第２実施例について説明したが、本発明は上記実施例に限定されず、本発明の範囲内において種々の他の態様を採ることもできる。
【００４０】
例えば、図２に示す第１実施例と図４に示す第２実施例では、吊下支持杆４を２本としたが、該吊下支持杆４は施工現場の状況等の諸条件に応じて１本であってもよく、かかる諸条件に応じて２つの重合切起し係止部１４Ａ・１４Ｂのいずれか一方に形成された透孔１５のみに吊下支持杆４を係合することで、吊りボルト３と１本の吊下支持杆４による２点吊下支持とすることもできる。
【００４１】
更に、切起し係止部１４Ａ・１４Ｂの各々に形成される透孔１５は、図１に示すように丸孔でもよいが、切起し係止部１４Ａ・１４Ｂの切起し方向（配管軸直交方向でもある方向）に長径を有する長孔であってもよい。長孔とすることで、透孔１５に係合する吊下支持杆４の斜め角度を長孔の長径方向に微調整することができる。
【００４２】
更に、本発明は上記第１実施例及び第２実施例に加えて、例えば、図５、図６に示すような他の態様を採ることができる。
【００４３】
図５に示す本発明の第３実施例は、図１及び図２に示す第１実施例の構成中の切起し係止部１４Ａ・１４Ｂの夫々に対して、補強用の重合切起し係止部１４Ｄ・１４Ｅを各々重合させた構成である。
【００４４】
重合切起し係止部１４Ｄ・１４Ｅは、前記切起し係止部１４Ａ・１４Ｂの各々の基端部近傍の上方部分を該基端部側に切起こし、この切起した部分を前記切起し係止部１４Ａ・１４Ｂの各々の少なくとも一部重合させることにより形成されている。
【００４５】
尚、図５に示す符号１１Ｄは重合切起し係止部１４Ｄが切り起こされることで孔部となったバンド抱持部１１の被切起し孔部であり、符号１１Ｅは重合切起し係止部１４Ｅが切り起こされることで孔部となったバンド抱持部１１の被切起し部である。
【００４６】
また、切起し係止部１４Ａと重合切起し係止部１４Ｄ、切起し係止部１４Ｂと重合切起し係止部１４Ｅとは、各々その重合部分をスポット溶接の如き接合手段を用いて接合する構成が好ましく、かかる構成によれば、切起し係止部１４Ａ・１４Ｂの強度を高くすることができる。
【００４７】
図６に示す本発明の第４実施例は、図３及び図４に示す第２実施例の構成中の切起し係止部１４Ａ・１４Ｂの夫々に対して、補強用の重合切起し係止部１４Ｄ・１４Ｅを各々重合させた構成である。
【００４８】
重合切起し係止部１４Ｄ・１４Ｅは、前記切起し係止部１４Ａ・１４Ｂの各々の基端部近傍の上方部分を該基端部側に切起こし、この切起した部分を前記切起し係止部１４Ａ・１４Ｂの各々の少なくとも一部重合させることにより形成されている。
【００４９】
尚、図６に示す符号１１Ｄは重合切起し係止部１４Ｄが切り起こされることで孔部となったバンド抱持部１１の被切起し孔部であり、符号１１Ｅは重合切起し係止部１４Ｅが切り起こされることで孔部となったバンド抱持部１１の被切起し部である。
【００５０】
また、切起し係止部１４Ａと重合切起し係止部１４Ｄ、切起し係止部１４Ｂと重合切起し係止部１４Ｅとは、各々その重合部分をスポット溶接の如き接合手段を用いて接合する構成が好ましく、かかる構成によれば、切起し係止部１４Ａ・１４Ｂの強度を高くすることができる。
【００５１】
上記した第３実施例及び第４実施例は、共に別部材を付加することなく重量の増加を招くことなく、切起し係止部１４Ａ・１４Ｂの強度を高くすることができる。
【００５２】
上記した第３実施例、第４実施例は、共に第１実施例や第２実施例と同様に吊りボルト３と１本又は２本の吊下支持杆４による２点又は３点吊下支持することができる。
【符号の説明】
【００５３】
１  配管吊下支持具
１１  バンド抱持部
１１Ａ  被切起し孔部
１１Ｂ  被切起し孔部
１１Ｃ  被切起し孔部
１１Ｄ  被切起し孔部
１１Ｅ  被切起し孔部
１２  最下部
１３  バンド端部
１４Ａ  切起し係止部
１４Ｂ  切起し係止部
１４Ｄ  切起し係止部
１４Ｅ  切起し係止部
１５  透孔
１６  ボルト・ナット
２  取付面
３  吊りボルト
３１  吊下接続部材
４  吊下支持杆
４１  係合手段
Ｐ  配管
【図１】
2017015155.tif 000003
【図２】
2017015155.tif 000004
【図３】
2017015155.tif 000005
【図４】
2017015155.tif 000006
【図５】
2017015155.tif 000007
【図６】
2017015155.tif 000008
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
一本の帯状バンド体を環状に彎曲することによって配管類を抱持するバンド抱持部が形成され、
該帯状バンド体の開放両端部に、タンバックルの如き吊下接続部材に接続することによって吊りボルト等から吊下可能となるバンド端部が形成された、バンド抱持部の最下部に組式又は蝶番式の接続部の無い構成の提灯式と呼ばれる配管吊下支持具において、
前記バンド抱持部の最下部の両側であって且つ該最下部よりも上方の各々の位置に基端部を有し、この各々の基端部より下方であって且つ前記最下部を含む帯状バンド体の一部が、配管軸方向に直交する左右に切り起こされて左右方向外側に各々延伸された状態の切起し係止部が各々形成されており、
天井スラブ等の取付面に一端が固定されて吊下げられる１本又は２本の吊りボルトの如き吊下支持杆の他端を係合可能な透孔が、前記切起し係止部の各々に形成された構成であること、
を特徴とする配管吊下支持具。
【請求項２】
左右方向外側の各々に延伸する切起し係止部が、最下部の略中央線の位置部分から左方向と右方向に切り分けて各々が外側方向に向かって切り起こされた状態の構成であることを特徴とする請求項１に記載の配管吊下支持具。
【請求項３】
左右方向外側の各々に延伸する切起し係止部が、帯状バンドの環状方向と平行に且つ並列する２本の切起し部が設けられ、この２本の内の一方の切起し部が左方向外側に向かって切り起こされた状態であり、他方の切起し部が右方向外側に向かって切り起こされた状態の構成であることを特徴とする請求項１に記載の配管吊下支持具。
【請求項４】
前記切起し係止部の各々の基端部近傍の上方部分が該基端部側に切り起こされた状態であり、この切り起こした部分が前記切起し係止部の少なくとも一部に重合して重合切起し係止部が形成された状態の構成であることを特徴とする請求項１〜３のいずれかに記載の配管吊下支持具。
【請求項５】
前記切起し係止部と前記重合切起し係止部との重合部分をスポット溶接の如き接合手段を用いて接合した構成であることを特徴とする請求項４に記載の配管吊下支持具。
【請求項６】
前記取付面に一端が固定された吊りボルトにタンバックルを介して前記バンド端部をボルト・ナット固定し、
前記取付面に一端が固定され、吊下げられる１本又は２本の吊りボルトの如き吊下支持杆の他端を、前記切起し係止部の透孔にナットの如き係合手段を用いて係合することにより、
前記吊りボルトと１本又は２本の吊下支持杆による２点又は３点吊下支持する構成であることを特徴とする請求項１〜５のいずれかに記載の配管吊下支持具。
【手続補正２】
【補正対象書類名】明細書
【補正対象項目名】００１３
【補正方法】変更
【補正の内容】
【００１３】
１．一本の帯状バンド体を環状に彎曲することによって配管類を抱持するバンド抱持部が形成され、
該帯状バンド体の開放両端部に、タンバックルの如き吊下接続部材に接続することによって吊りボルト等から吊下可能となるバンド端部が形成された、バンド抱持部の最下部に組式又は蝶番式の接続部の無い構成の提灯式と呼ばれる配管吊下支持具において、
前記バンド抱持部の最下部の両側であって且つ該最下部よりも上方の各々の位置に基端部を有し、この各々の基端部より下方であって且つ前記最下部を含む帯状バンド体の一部が、配管軸方向に直交する左右に切り起こされて左右方向外側に各々延伸された状態の切起し係止部が各々形成されており、
天井スラブ等の取付面に一端が固定されて吊下げられる１本又は２本の吊りボルトの如き吊下支持杆の他端を係合可能な透孔が、前記切起し係止部の各々に形成された構成であること、
を特徴とする配管吊下支持具。
【手続補正３】
【補正対象書類名】明細書
【補正対象項目名】００１４
【補正方法】変更
【補正の内容】
【００１４】
２．左右方向外側の各々に延伸する切起し係止部が、最下部の略中央線の位置部分から左方向と右方向に切り分けて各々が外側方向に向かって切り起こされた状態の構成であることを特徴とする上記１に記載の配管吊下支持具。
【手続補正４】
【補正対象書類名】明細書
【補正対象項目名】００１５
【補正方法】変更
【補正の内容】
【００１５】
３．左右方向外側の各々に延伸する切起し係止部が、帯状バンドの環状方向と平行に且つ並列する２本の切起し部が設けられ、この２本の内の一方の切起し部が左方向外側に向かって切り起こされた状態であり、他方の切起し部が右方向外側に向かって切り起こされた状態の構成であることを特徴とする上記１に記載の配管吊下支持具。
【手続補正５】
【補正対象書類名】明細書
【補正対象項目名】００１６
【補正方法】変更
【補正の内容】
【００１６】
４．前記切起し係止部の各々の基端部近傍の上方部分が該基端部側に切り起こされた状態であり、この切り起こした部分が前記切起し係止部の少なくとも一部に重合して重合切起し係止部が形成された状態の構成であることを特徴とする上記１〜３のいずれかに記載の配管吊下支持具。